(57)【要約】【課題】動画や音声のデータ記録中にも即時性のある撮影可能残枚数を表示し撮影者に通知することができるデジタルカメラを提供する。【解決手段】被写体を撮影し動画データまたは静止画データを出力する撮影手段（１０１〜１１０，１３０）と、前記動画データ及び静止画データが記録される記録媒体（１１５）と、該記録媒体に前記撮影手段から出力された動画データまたは静止画データを記録するデータ記録手段（１３４）と、該データ記録手段による動画データ記録中に前記記録媒体の残容量を基に静止画撮影可能残枚数を算出する演算手段（１２９）と、算出された静止画撮影可能残枚数の情報を表示する表示手段（１２３）とを備える。【選択図】        図１
2004350129.tif 000002
【特許請求の範囲】
【請求項１】
被写体を撮影し動画データまたは静止画データを出力する撮影手段と、前記動画データ及び静止画データが記録される記録媒体と、該記録媒体に前記撮影手段から出力された動画データまたは静止画データを記録するデータ記録手段と、該データ記録手段による動画データ記録中に前記記録媒体の残容量を基に静止画撮影可能残枚数を算出する演算手段と、算出された静止画撮影可能残枚数の情報を表示する表示手段とを備えることを特徴とするデジタルカメラ。
【請求項２】
被写体を撮影し画像データを出力する撮影手段と、外部音声を取得し音声データを出力する音声取得手段と、前記画像データ及び音声データが記録される記録媒体と、該記録媒体に前記撮影手段から出力された画像データおよび／または前記音声取得手段から出力された音声データを記録するデータ記録手段と、該データ記録手段による音声データ記録中に前記記録媒体の残容量を基に静止画撮影可能残枚数を算出する演算手段と、算出された静止画撮影可能残枚数の情報を表示する表示手段とを備えることを特徴とするデジタルカメラ。
【請求項３】
前記表示手段は、前記静止画撮影可能残枚数が変化すると、変化後の静止画撮影可能残枚数の情報を表示することを特徴とする請求項１または請求項２に記載のデジタルカメラ。
【請求項４】
前記算出手段は、撮影用に設定されている静止画撮影画質情報を引用して、静止画撮影可能残枚数を算出することを特徴とする請求項１または請求項２に記載のデジタルカメラ。
【請求項５】
前記静止画撮影画質情報は、外部入力により変更できることを特徴とする請求項４に記載のデジタルカメラ。
【請求項６】
前記静止画撮影可能枚数が、設定されている記録停止枚数以下となった場合に警告情報を出力する警告手段を備えることを特徴とする請求項１または請求項２に記載のデジタルカメラ。
【請求項７】
前記静止画撮影可能枚数が設定されている記録停止枚数以下となった場合に、前記データ記録手段が記録動作を停止することを特徴とする請求項１または請求項２に記載のデジタルカメラ。
【請求項８】
前記記録停止枚数は、外部入力により設定できることを特徴とする請求項６または請求項７に記載のデジタルカメラ。
【発明の詳細な説明】
【０００１】
【発明の属する技術分野】
本発明は光電変換素子により被写体を撮像したデジタル画像データを記録媒体に記録するデジタルカメラに関するものである。
【０００２】
【従来の技術】
デジタルカメラには、被写体を撮影し、その撮影した画像データをデジタルデータとして保存するといった本来の機能（静止画撮影機能）と共に、その他の付加機能が付いたものが多くなっている。
【０００３】
特に近年、何十種類ものデジタルカメラが店頭に並んでいる現状において、静止画の撮影機能だけでは他機種との差別化が難しくなってきており、付随機能であった動画の録画再生機能が、静止画撮影機能と共に商品のセールスポイントとなる機能としてデジタルカメラの商品性を左右するものとなりつつある。
【０００４】
また、同様な理由から、音声の録音再生機能には撮影者にとっての使い勝手をよりよくする為の様々な機能が搭載されるようになってきた。
例えば、音声を記録するとともに音声の記録が可能な残時間を表示するデジタルカメラが提案されている（例えば、特許文献１参照。）。
【０００５】
【特許文献１】
特許第０２５４３８４５号明細書
【０００６】
【発明が解決しようとする課題】
しかしながら、上記の発明では記録可能残時間分すべてを記録してしまうと、それ以降は撮影ができない状態となってしまっていた。
また、表示される情報は音声記録時の音声に関する記録可能残量（時間）であり、音声記録により静止画がどの程度記録可能であるかは分からなかった。
さらに、連続した録音記録中には記録可能残量は逐次変化していくが、その残量を表示する方法については明示されていなかった。
【０００７】
本発明は、以上の従来技術における問題に鑑みてなされたものであり、動画や音声のデータ記録中にも即時性のある撮影可能残枚数を表示し撮影者に通知することができるデジタルカメラを提供することを目的とする。
【０００８】
【課題を解決するための手段】
前記課題を解決するために提供する請求項１の発明に係るデジタルカメラは、被写体を撮影し動画データまたは静止画データを出力する撮影手段と、前記動画データ及び静止画データが記録される記録媒体と、該記録媒体に前記撮影手段から出力された動画データまたは静止画データを記録するデータ記録手段と、該データ記録手段による動画データ記録中に前記記録媒体の残容量を基に静止画撮影可能残枚数を算出する演算手段と、算出された静止画撮影可能残枚数の情報を表示する表示手段とを備えることを特徴とする。
【０００９】
請求項１の発明により、動画データの記録中、いわゆる動画撮影中に静止画の撮影可能残枚数を撮影者に通知することができ、撮影者があと何枚の静止画を撮影可能かを把握することができるため、記憶媒体の残容量不足によって動画データ記録後にデジタルカメラの主要機能である静止画撮影が十分に行えなくなることを防ぐことが可能となる。
なお、本発明は静止画と動画とを撮影し、それぞれのデータを記録する機能を有する装置一般に応用可能である。
【００１０】
前記課題を解決するために提供する請求項２の発明に係るデジタルカメラは、被写体を撮影し画像データを出力する撮影手段と、外部音声を取得し音声データを出力する音声取得手段と、前記画像データ及び音声データが記録される記録媒体と、該記録媒体に前記撮影手段から出力された画像データおよび／または前記音声取得手段から出力された音声データを記録するデータ記録手段と、該データ記録手段による音声データ記録中に前記記録媒体の残容量を基に静止画撮影可能残枚数を算出する演算手段と、算出された静止画撮影可能残枚数の情報を表示する表示手段とを備えることを特徴とする。
【００１１】
請求項２の発明により、音声データの記録中、いわゆる録音中に静止画の撮影可能残枚数を撮影者に通知することができ、撮影者があと何枚の静止画を撮影可能かを把握することができるため、記憶媒体の残容量不足によって音声記録後にデジタルカメラの主要機能である静止画撮影が十分に行えなくなることを防ぐことが可能となる。
なお、一般的な動画撮影、すなわち動画データ及び音声データを記録媒体に記録する際にも、その記録中に記録媒体の残容量を基に静止画の撮影可能枚数を撮影者に通知するようにすることも可能である。
【００１２】
前記課題を解決するために提供する請求項３の発明に係るデジタルカメラは、請求項１または請求項２の発明において、前記表示手段は、前記静止画撮影可能残枚数が変化すると、変化後の静止画撮影可能残枚数の情報を表示することを特徴とする。
【００１３】
請求項３の発明により、動画データまたは音声データの記録中には漸次、記録媒体の残容量が減り、径時的に変化する静止画の撮影可能残枚数を変化する度に撮影者に通知することが可能となるため、撮影者があと何枚の静止画を撮影可能か常に把握できることができ、記録媒体の容量を最大限に活用することが可能となる。
【００１４】
前記課題を解決するために提供する請求項４の発明に係るデジタルカメラは、請求項１または請求項２の発明において、前記算出手段は、撮影用に設定されている静止画撮影画質情報を引用して、静止画撮影可能残枚数を算出することを特徴とする。
【００１５】
請求項４の発明により、撮影者が静止画撮影モードにおいて使用していた静止画画質の設定情報を基に静止画撮影可能残枚数を計算することができるため、撮影者が動画撮影または音声記録の直前の静止画画質設定であと何枚の静止画を撮影可能か把握することが可能となる。これは、撮影者が動画撮影または音声記録の直前に静止画撮影モードにおいて静止画撮影画質を変更した場合にも対応可能である。
【００１６】
前記課題を解決するために提供する請求項５の発明に係るデジタルカメラは、請求項４の発明において、前記静止画撮影画質情報は、外部入力により変更できることを特徴とする。
【００１７】
請求項５の発明により、静止画撮影モードで設定してある静止画撮影画質情報にかかわらず、撮影者が任意で設定した静止画撮影画質を基に静止画撮影可能残枚数を表示することができるため、撮影者の所望の静止画画質設定であと何枚の静止画を撮影可能か把握することが可能となる。
【００１８】
前記課題を解決するために提供する請求項６の発明に係るデジタルカメラは、請求項１または請求項２の発明において、前記静止画撮影可能枚数が、設定されている記録停止枚数以下となった場合に警告情報を出力する警告手段を備えることを特徴とする。
【００１９】
請求項６の発明により、記録媒体の残容量が撮影者所望の静止画撮影可能枚数を切ったことを把握することが可能となる。
なお、警告の方法としては、例えば、（１）画像表示手段に警告を表示する、（２）音声再生手段によって音声情報を再生する、（３）発光手段を発光させる、などの方法によればよい。
【００２０】
前記課題を解決するために提供する請求項７の発明に係るデジタルカメラは、請求項１または請求項２の発明において、前記静止画撮影可能枚数が設定されている記録停止枚数以下となった場合に、前記データ記録手段が記録動作を停止することを特徴とする。
【００２１】
請求項７の発明により、データ記録手段が自動的に停止されるため、所望の静止画撮影可能枚数に必要な記録媒体の残容量を確保することが可能となる。
【００２２】
前記課題を解決するために提供する請求項８の発明に係るデジタルカメラは、請求項６または請求項７の発明において、前記記録停止枚数は、外部入力により設定できることを特徴とする。
【００２３】
請求項８の発明により、動画データまたは音声データの記録停止枚数を撮影者が任意に設定可能であるため、撮影者が所望する静止画撮影可能枚数に必要な記録媒体の残容量を確保することが可能となる。
【００２４】
【発明の実施の形態】
以下に、本発明に係るデジタルカメラの第１の実施の形態について図面を参照して説明する。なお、以下に示す実施の形態は例示であり、これに限定されるものではない。
図１は本発明を実施するデジタルカメラのブロック図であり、図２は本発明の実施形態に係るデジタルカメラの外観図（前面部）であり、図３は本発明の実施形態に係るデジタルカメラの外観図（背面部）である。
【００２５】
図１〜図３を参照しながら、本発明に係るデジタルカメラの構成及び各部の動作内容を説明する。
光学レンズ１０１は、モータードライバ１１０によって制御されるレンズモータ１０８によって動かすことが可能であり、図示しない複数の光学レンズをレンズモータ１０８によってそれぞれ駆動させることで光学ズームを行ったり、フォーカスを合わせることができる。光学レンズ１０１より入光した被写体像は、シャッターモータ１０９によって動作するシャッタ１０２により入光量を調節され、光学ＬＰＦ１０３を通してＣＣＤ駆動ドライバ１０５によって制御されるＣＣＤ（Ｃｈａｒｇｅ  Ｃｏｕｐｌｅｄ  Ｄｅｖｉｃｅ）１０４に結像される。
ここで、撮影被写体の光量が不足している場合、ストロボ回路１２７の制御下にあるストロボ１２８を発光させ、適正光量が得られる画像を撮影することができる。
【００２６】
ＣＣＤ１０４には、レリーズ２０２が押されてからシャッタ１０２が開いている所定時間分だけ電荷が蓄積（光電変換）される。ＣＣＤ１０４は無数のセル（画素）からなり、その一つ一つの画素に集光用レンズ、カラーフィルタが付けられており、カラーフィルタの種類により赤、緑、青などそれぞれの色の光の強さが各画素に蓄積される。例えば赤、緑、青の３原色の入光量を電荷に変換し、電荷量を読み出すことで、フルカラー画像を作り出すことができる。
【００２７】
蓄積された電荷はタイミングジェネレータ１０６のクロックを使用してＣＣＤ１０４の各画素から順次ＣＤＳ：Ａ／Ｄ１０７（ＣＤＳとＡ／Ｄが一体になったチップ）に引き渡され、ＣＤＳ部（Ｃｏｒｒｅｌａｔｅｄ  Ｄｏｕｂｌｅ  Ｓａｍｐｌｉｎｇ）にてノイズ成分を低減し、Ａ／Ｄ部にてアナログの電荷量をデジタル信号に変換する。
【００２８】
変換された各画素入光量のデジタル情報は、一時的に書き込み速度の速いＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１６に記憶され、そこから順次、デジタルカメラＡＳＳＰ（Ａｐｐｌｉｃａｔｉｏｎ  Ｓｐｅｃｉｆｉｃ  Ｓｔａｎｄａｒｄ  Ｐｒｏｄｕｃｔｓ）１２９に引き渡され、デジタルカメラＡＳＳＰ１２９内部のイメージプロセッサ１３０にてホワイトバランス処理、エッジ強調、ＪＰＥＧ（Ｊｏｉｎｔ  Ｐｈｏｔｏｇｒａｐｈｉｃ  Ｅｘｐｅｒｔｓ  Ｇｒｏｕｐ）方式による画像圧縮などの処理を施され、画像データ（静止画データ、動画データ）が出力される。以上までの構成が撮影手段の一態様である。
【００２９】
このデジタルカメラＡＳＳＰ１２９は、特定用途（デジタルカメラ）向けの標準ＩＣ（Ｉｎｔｅｇｒａｔｅｄ  Ｃｉｒｃｕｉｔ）であり、カメラ全体の制御を担っており、フラッシュメモリ１１７に書き込まれたソフトウェアを読み込み、ソフトウェアの指示に従って動作し、周辺機器を制御する各種ドライバの制御をする役割を担うと共に、自身に内蔵したイメージプロセッサ１３０やマイコン１３３、各種インターフェイス１３４を使用して、画像処理や操作ボタン制御、メモリ類のインターフェイス制御、演算などの処理を行っている。すなわち、後述する静止画撮影可能残枚数の計算などの演算手段としての機能を有している。
【００３０】
イメージプロセッサ１３０にて各種の処理を施された画像データはデータ記録手段の一態様である各種インターフェイス１３４によって制御され、記憶媒体の一態様である不揮発性メモリ１１５に記憶される。今日のデジタルカメラにはスマートメディア、ＳＤ（Ｓｅｃｕｒｅ  Ｄｉｇｉｔａｌ）カードなどの不揮発性メモリが搭載されている。
【００３１】
また、前記各種の処理を施された画像データは、ビデオエンコーダ１３２にてＮＴＳＣ、ＰＡＬ方式などに変換され、ビデオアンプ１２０を通し、ＡＶ（Ａｕｄｉｏ  Ｖｉｓｕａｌ）Ｊａｃｋ１２１からＴＶなどに出力されたり、ＬＣＤ（Ｌｉｑｕｉｄ  Ｃｒｙｓｔａｌ  Ｄｉｓｐｌａｙ）ドライバ１２２にてＬＣＤ表示仕様に対応した信号変換を行い、表示手段の一態様であるＬＣＤ１２３に映像を表示したり、ＵＳＢ（Ｕｎｉｖｅｒｓａｌ  Ｓｅｒｉａｌ  Ｂｕｓ）ドライバ１１８によって差動信号に変換され、ＵＳＢコネクタ１１９よりケーブルを介してＰＣなどに画像データを転送することもできる。
以上は静止画の撮影の場合を説明したが、動画撮影では以上の動作が逐次連続して行われる。
【００３２】
デジタルカメラの電源は、ＤＣ  Ｊａｃｋ１１１に挿入されたＡＣアダプタ、又は電池１１２から供給され、ＤＣ／ＤＣコンバータ１１３によって各デバイスに必要な直流電圧（例えば、３．３Ｖ、５Ｖ、−７．５Ｖなど）を作り出し、各デバイスに供給する。
【００３３】
音声ＣＯＤＥＣ（ＣＯｄｅｒ  ＤＥＣｏｒｄｅｒ）１２６は、デジタルカメラＡＳＳＰ１２９によって制御され、マイクアンプ、スピーカアンプ、Ａ／Ｄ、Ｄ／Ａ変換器、符号、復号化処理部を有し、音声取得手段の一態様であるマイクロホン１２５によって取得された音声信号を増幅、Ａ／Ｄ変換、符号化処理を行い、ＳＤＲＡＭ１１６に蓄積され、順次各種インターフェイス１３４により不揮発性メモリ１１５に記録される。音声を再生する場合には、不揮発性メモリ１１５から音声デジタルデータをＳＤＲＡＭ１１６に読み出し、順次音声ＣＯＤＥＣ１２６にて復号化、Ｄ／Ａ変換、増幅処理を行い、スピーカ１２４にて音声を出力する。
【００３４】
次に、本発明に係るデジタルカメラの動画撮影時の処理内容をフローチャートに基づいて説明する。
図４は（静止画撮影可能残枚数）≦（動画記録停止枚数）時に撮影者に通知する処理内容を表わすフローチャートであり、図５は静止画撮影可能残枚数を計算する処理内容を表わすフローチャートであり、図６は（静止画撮影可能残枚数）≦（動画記録停止枚数）時に動画記録を自動的に中断する処理内容を表わすフローチャートである。
【００３５】
まず、図４の（静止画撮影可能残枚数）≦（動画記録停止枚数）時に撮影者に通知する処理内容を表わすフローチャートに基づいて説明する。
本発明の動画記録機能を有するデジタルカメラには、静止画を撮影する静止画撮影モードのほかに、セットアップモード、再生モード、動画記録モードがあり、撮影者が目的に応じてモードダイアル２０４を回すことにより、これらのモードを切り替えて使用することができるようになっている。撮影者がモードダイアル２０４を回し、デジタルカメラが動画記録モードに切り替わったことを認識すると、図４のステップＳ４０１からステップＳ４０２へ移行する。
【００３６】
ステップＳ４０２では、動画記録停止枚数を撮影者が設定したか否かを判別する。動画記録停止枚数は外部入力により、あらかじめ適当な数値を決めておくことができる。これにより、撮影者は、所望の静止画撮影可能枚数分の記録媒体の残容量を確保することができる。例えば該デジタルカメラに付属する記憶媒体で、初期設定時の静止画記録画質にて撮影可能な枚数が１００枚である場合、該動画記録停止枚数を１０枚と設定しておけば、動画記録は静止画が９０枚撮影可能な容量分は通常に記録を行えるが、後に説明するように、記録媒体の空き容量が静止画１０枚分となった時点で撮影者に警告を行ったり、自動的に動画記録を停止することができる。また、該動画記録停止枚数は、モードダイアル２０４を回し、セットアップモードに移行しデジタルカメラに内臓の不揮発性メモリ１１５に記録することができる。ステップＳ４０２にて、不揮発性メモリの動画記録停止枚数記録のユーザー設定領域にアクセスし、該設定領域に撮影者があらかじめ動画記録停止枚数を記録している場合、ステップＳ４０３に移行し、撮影者が設定した動画記録停止枚数情報を読み出し、ＳＤＲＡＭ１１６に一時的に保存し、ステップＳ４０５へ移行する。
【００３７】
一方、ステップＳ４０２にて、不揮発性メモリの動画記録停止枚数記録のユーザー設定領域にアクセスしたが、該設定領域に撮影者があらかじめ動画記録停止枚数を記録しておらず、何の情報も記録されていない場合、ステップＳ４０４に移行し、あらかじめフラッシュメモリ１１７に書き込まれている動画記録停止枚数を読み出し、ＳＤＲＡＭ１１６に一時的に保存し、ステップＳ４０５へ移行する。
【００３８】
ステップＳ４０５では静止画撮影可能残枚数情報を読み出す。ここで、静止画撮影可能残枚数情報の計算方法について、図５の静止画撮影可能残枚数を計算する処理内容を表わすフローチャートに基づいて説明する。
まず、ステップＳ５０１にて、静止画撮影可能残枚数情報の確認要求がきた場合、ステップＳ５０２へ移行する。そうではない場合にはステップＳ５０１へ戻る。
【００３９】
ステップＳ５０２では、静止画撮影画質情報を撮影者が設定したか否かを判別する。静止画撮影画質情報は、撮影者が任意の画質を外部入力により設定することができ、例えば、最も高画質な静止画撮影画質を設定すれば、最も高画質で静止画を撮影した場合の静止画撮影可能残枚数を動画記録中に知ることができる。逆に、最も低画質な静止画撮影画質を設定すれば、最も低画質で静止画を撮影した場合の静止画撮影可能残枚数を動画記録中に知ることができる。該静止画撮影画質は不揮発性メモリ１１５に記録することができる。ステップＳ５０２にて、不揮発性メモリの静止画撮影画質のユーザー設定領域にアクセスし、該設定領域に撮影者があらかじめ静止画撮影画質を記録している場合、ステップＳ５０３に移行し、撮影者が設定した静止画画質情報を読み出し、ＳＤＲＡＭ１１６に一時的に保存し、ステップＳ５０５へ移行する。
【００４０】
一方、ステップＳ５０２にて、不揮発性メモリの静止画画質情報のユーザー設定領域にアクセスしたが、該設定領域に撮影者があらかじめ静止画画質情報を記録しておらず、何の情報も記録されていない場合、ステップＳ５０４に移行し、静止画記録モードにて設定してある静止画画質情報を不揮発性メモリ１１５より読み出し、ＳＤＲＡＭ１１６に一時的に保存し、ステップＳ５０５へ移行する。
【００４１】
ステップＳ５０５にて、記録媒体の残容量情報を入手する。ここで、動画を記録する記録媒体として、不揮発性メモリ１１５を選択している場合、不揮発性メモリ１１５の残容量情報を読み出し、ＳＤＲＡＭ１１６に一時的に保存し、ステップＳ５０６に移行する。一方、動画を記録する記録媒体として、カードコネクタ１３５に挿入されたメモリーカード１３６を選択している場合、メモリーカード１３６の残容量情報を読み出し、ＳＤＲＡＭ１１６に一時的に保存し、ステップＳ５０６に移行する。ここで、デジタルカメラが内臓の不揮発性メモリ１１５とカードコネクタ１３５に挿入したメモリーカード１３６を両方とも有する場合、２つの記録媒体の空き容量を合算することも可能である。
【００４２】
次に、Ｓ５０６にてＳＤＲＡＭに一時的に保存されている静止画撮影画質情報と記録媒体残容量情報とから静止画撮影可能残枚数を計算する。ここで、静止画撮影画質情報があれば該静止画画質時に必要となる記録媒体容量があらかじめわかっている事とする。計算式は下記の通りである。
【００４３】
【数１】
（静止画撮影可能残枚数）＝（記録媒体残容量）／（静止画１枚当たり必要記録媒体容量（静止画撮影画質情報を参照））
【００４４】
次に、ステップＳ５０７にて、得られた静止画撮影可能残枚数情報をＳＤＲＡＭ１１６に一時的に保存する。
【００４５】
図４のフローチャートに戻って説明を行う。
ステップＳ４０５にて、図５の静止画撮影可能残枚数を計算する処理内容を表わすフローチャートに基づいて得られた静止画撮影可能残枚数情報をＳＤＲＡＭ１１６より読み出した後に、ステップＳ４０６へ移行する。
【００４６】
ステップＳ４０６にて、前述のフローにて読み出した静止画撮影可能残枚数と動画記録停止枚数の大きさを比較する。その結果、静止画撮影可能残枚数が動画記録停止枚数よりも大きい場合、ステップＳ４０７へ移行する。一方、静止画撮影可能残枚数が動画記録停止枚数以下となる場合、ステップＳ４１１へ移行する。
【００４７】
ステップ４０７では、レリーズ２０２が押されると動画記録動作を開始する。レンズ１０１から取り込まれた被写体像はＬＰＦ１０３を通してＣＣＤ１０４に照射され、光量が電気信号に変換される光電変換が行われ、ＣＣＤ駆動ドライバ１０５、ＣＤＳ：Ａ／Ｄ１０７、タイミングジェネレータ１０６を駆動してＳＤＲＡＭ１１６に逐次書き込まれる。ＳＤＲＡＭ１１６に書き込まれたデジタル画像データはイメージプロセッサ１３０にてエッジ強調、ガンマ変換、圧縮などの各種処理を施されたのちに、不揮発性メモリ１１５、又はメモリーカード１３６に保存される。動画記録動作時には、音声記録も同時に行われ、音声ＣＯＤＥＣ１２６、マイクロホン１２５の電源を投入し、録音動作を開始し、マイクロホン１２５にて取り込まれた音声振動は電気信号に変換され、音声ＣＯＤＥＣ１２６にて増幅、Ａ／Ｄ変換処理を施され、書き込み速度の速いＳＤＲＡＭ１１６に一時的に保存される。その後に、ＳＤＲＡＭ１１６から読み取ったデジタル音声データをデジタルカメラＡＳＳＰにて圧縮などの処理を行ってから、不揮発性メモリ１１５またはメモリーカード１３６に書き込まれる。
【００４８】
次に、ステップＳ４０８へ移行し、その時点で図５に示す静止画撮影可能残枚数を計算する処理内容を表わすフローチャートに基づいて、再度計算されて得られた静止画撮影可能残枚数情報をＳＤＲＡＭ１１６から読み出して、ステップＳ４０９へ移行する。
【００４９】
ステップＳ４０９では、ステップＳ４０８にて読み出した該静止画撮影可能残枚数をＬＣＤ１２３に即時に表示し、ステップＳ４１０に移行する。
これにより、動画を記録中に静止画の撮影可能残枚数を撮影者に通知することができ、撮影者があと何枚の静止画を撮影可能かを把握することができるため、記憶媒体の残容量不足によって動画記録後にデジタルカメラの主要機能である静止画撮影が十分に行えなくなることを防ぐことができる。
【００５０】
ステップＳ４１０に移行し、前述のフローにて読み出した静止画撮影可能残枚数と動画記録停止枚数の大きさを比較する。その結果、静止画撮影可能残枚数が音声記録停止枚数よりも大きい場合、ステップＳ４０８へ移行する。一方、静止画撮影可能残枚数が動画記録停止枚数以下となる場合、ステップＳ４１１へ移行する。
【００５１】
ここで、ステップＳ４０８〜ステップＳ４１０は動画記録動作中に行われるものであり、この処理を繰り返すことによって、動画記録動作中に刻々と枚数の変化する静止画撮影可能残枚数を即時に撮影者が確認することが可能となる。
【００５２】
ステップＳ４１１では、撮影者に（静止画撮影可能残枚数）≦（動画記録停止枚数）であることを通知する。撮影者への通知方法についてはいくつかの方法が考えられ、ここでは３つの実施例についての説明を行う。
【００５３】
１つ目の実施例は、画像表示手段に警告を表示して撮影者に通知する方法である。デジタルカメラＡＳＳＰ１２９が、ステップＳ４１１の通知処理を行う状態であることを認識すると、フラッシュメモリ１１７にあらかじめ書き込まれた警告画像情報をデジタルカメラＡＳＳＰ１２９が読み取って、ビデオエンコーダ１３２にてＬＣＤ上に表示できるフォーマットに変換してＳＤＲＡＭ１１６に保存し、そこからＬＣＤドライバ１２２を用いてＬＣＤ上に画像を表示する。
【００５４】
２つ目の実施例は、音声情報を再生して撮影者に警告を促す方法である。デジタルカメラＡＳＳＰ１２９が、ステップＳ４１１の通知処理を行う状態であることを認識すると、フラッシュメモリ１１７にあらかじめ書き込まれた警告音声情報をデジタルカメラＡＳＳＰ１２９が読み取り、デコード処理などを行った後にＳＤＲＡＭ１１６を経由して音声ＣＯＤＥＣ１２６にてＤ／Ａ変換処理、増幅処理などを行い、スピーカ１２４から警告音を再生する。
【００５５】
３つ目の実施例は、発光手段を発光して撮影者に警告を促す方法である。デジタルカメラＡＳＳＰ１２９が、ステップＳ４１１の通知処理を行う状態であることを認識すると、図示しないＬＥＤ（Ｌｉｇｈｔ  Ｅｍｉｔｔｉｎｇ  Ｄｉｏｄｅ）が発光するようにデジタルカメラＡＳＳＰ１２９から電気信号を送信する。
【００５６】
次に、第１の実施の形態のバリエーションである、図６の（静止画撮影可能残枚数）≦（動画記録停止枚数）の時に音声記録を自動的に中断する処理内容を表わすフローチャートについて説明を行う。
図６においてステップｓ６０１からステップｓ６１０までは、図４のステップｓ４０１からステップｓ４１０までの処理内容と同じであり、図４のステップＳ４１１の部分が図６ではステップＳ６１１「動画記録停止」となり、ステップＳ４１１にて撮影者に警告を発する代わりに、動画記録を強制的に停止する処理が行われる。
これにより、静止画撮影可能残枚数があらかじめ設定された動画記録停止枚数以下となった場合、動画記録手段を自動的に停止することで、静止画撮影に必要な記録媒体の残容量を確保することができる。
【００５７】
次に、本発明に係るデジタルカメラの第２の実施の形態について図面を参照して説明する。なお、第２の実施の形態におけるデジタルカメラの構成及び各部の動作内容は、図１〜図３で示した第１の実施の形態と同様であり、以下では本発明に係るデジタルカメラの音声記録時の処理内容をフローチャートに基づいて説明する。
図７は（静止画撮影可能残枚数）≦（音声記録停止枚数）時に撮影者に通知する処理内容を表わすフローチャート、図８は静止画撮影可能残枚数を計算する処理内容を表わすフローチャート、図９は（静止画撮影可能残枚数）≦（音声記録停止枚数）時に音声記録を自動的に中断する処理内容を表わすフローチャートである。
【００５８】
まず、図７の（静止画撮影可能残枚数）≦（音声記録停止枚数）時に撮影者に通知する処理内容を表わすフローチャートに基づいて説明する。
本発明の音声記録機能を有するデジタルカメラには、静止画を撮影する静止画撮影モードのほかに、セットアップモード、再生モード、音声記録モードがあり、撮影者が目的に応じてモードダイアル２０４を回すことにより、これらのモードを切り替えて使用することができるようになっている。撮影者がモードダイアル２０４を回し、デジタルカメラが音声記録モードに切り替わったことを認識すると、図７のステップＳ７０１からステップＳ７０２へ移行する。
【００５９】
ステップＳ７０２では、音声記録停止枚数を撮影者が設定したか否かを判別する。音声記録停止枚数は外部入力により、あらかじめ適当な数値を決めておくことができる。これにより、撮影者は、所望の静止画撮影可能枚数分の記録媒体の残容量を確保することができる。例えば、該デジタルカメラに付属する記憶媒体で、初期設定時の静止画記録画質にて撮影可能な枚数が１００枚である場合、該音声記録停止枚数を１０枚と設定しておけば、音声記録は静止画が９０枚撮影可能な容量分は通常に記録を行えるが、後に説明するように、記録媒体の空き容量が静止画１０枚分となった時点で撮影者に警告を行ったり、自動的に音声記録を停止することができる。また、該音声記録停止枚数は、モードダイアル２０４を回し、セットアップモードに移行しデジタルカメラに内臓の不揮発性メモリ１１５に記録することができる。ステップＳ７０２にて、不揮発性メモリの音声記録停止枚数記録のユーザー設定領域にアクセスし、該設定領域に撮影者があらかじめ音声記録停止枚数を記録している場合、ステップＳ７０３に移行し、撮影者が設定した音声記録停止枚数情報を読み出し、ＳＤＲＡＭ１１６に一時的に保存し、ステップＳ７０５へ移行する。
【００６０】
一方、ステップＳ７０２にて、不揮発性メモリの音声記録停止枚数記録のユーザー設定領域にアクセスしたが、該設定領域に撮影者があらかじめ音声記録停止枚数を記録しておらず、何の情報も記録されていない場合、ステップＳ７０４に移行し、あらかじめフラッシュメモリ１１７に書き込まれている音声記録停止枚数を読み出し、ＳＤＲＡＭ１１６に一時的に保存し、ステップＳ７０５へ移行する。
【００６１】
ステップＳ７０５では静止画撮影可能残枚数情報を読み出す。ここで、静止画撮影可能残枚数情報の計算方法については図８の静止画撮影可能残枚数を計算する処理内容を表わすフローチャートに基づいて説明する。
まず、ステップＳ８０１にて、静止画撮影可能残枚数情報の確認要求がきた場合、ステップＳ８０２へ移行する。そうではない場合にはステップＳ８０１へ戻る。
【００６２】
ステップＳ８０２では、静止画撮影画質情報を撮影者が設定したか否かを判別する。静止画撮影画質情報は、撮影者が任意の画質を外部入力により設定することができ、例えば、最も高画質な静止画撮影画質を設定すれば、最も高画質で静止画を撮影した場合の静止画撮影可能残枚数を音声記録中に知ることができる。逆に、最も低画質な静止画撮影画質を設定すれば、最も低画質で静止画を撮影した場合の静止画撮影可能残枚数を音声記録中に知ることができる。該静止画撮影画質は不揮発性メモリ１１５に記録することができる。ステップＳ８０２にて、不揮発性メモリの静止画撮影画質のユーザー設定領域にアクセスし、該設定領域に撮影者があらかじめ静止画撮影画質を記録している場合、ステップＳ８０３に移行し、撮影者が設定した静止画画質情報を読み出し、ＳＤＲＡＭ１１６に一時的に保存し、ステップＳ８０５へ移行する。
【００６３】
一方、ステップＳ８０２にて、不揮発性メモリの静止画画質情報のユーザー設定領域にアクセスしたが、該設定領域に撮影者があらかじめ静止画画質情報を記録しておらず、何の情報も記録されていない場合、ステップＳ８０４に移行し、静止画記録モードにて設定してある静止画画質情報を不揮発性メモリ１１５より読み出し、ＳＤＲＡＭ１１６に一時的に保存し、ステップＳ８０５へ移行する。
【００６４】
ステップＳ８０５にて、記録媒体の残容量情報を入手する。ここで、音声を記録する記録媒体として、不揮発性メモリ１１５を選択している場合、不揮発性メモリ１１５の残容量情報を読み出し、ＳＤＲＡＭ１１６に一時的に保存し、ステップＳ８０６に移行する。一方、音声を記録する記録媒体として、カードコネクタ１３５に挿入されたメモリーカード１３６を選択している場合、メモリーカード１３６の残容量情報を読み出し、ＳＤＲＡＭ１１６に一時的に保存し、ステップＳ８０６に移行する。ここで、デジタルカメラが内臓の不揮発性メモリ１１５とカードコネクタ１３５に挿入したメモリーカード１３６を両方とも有する場合、２つの記録媒体の空き容量を合算することも可能である。
【００６５】
次に、Ｓ８０６にてＳＤＲＡＭに一時的に保存されている静止画撮影画質情報と記録媒体残容量情報から静止画撮影可能残枚数を計算する。ここで、静止画静止画撮影画質情報があれば該静止画画質時に必要となる記録媒体容量があらかじめわかっている事とする。計算式は下記の通りである。
【００６６】
【数２】
（静止画撮影可能残枚数）＝（記録媒体残容量）／（静止画１枚当たり必要記録媒体容量（静止画撮影画質情報を参照））
【００６７】
次にステップＳ８０７にて、得られた静止画撮影可能残枚数をＳＤＲＡＭ１１６に一時的に保存する。
【００６８】
図７のフローチャートに戻って説明を行う。
ステップＳ７０５にて、図８の静止画撮影可能残枚数を計算する処理内容を表わすフローチャートに基づいて得られた静止画撮影可能残枚数情報をＳＤＲＡＭ１１６より読み出した後に、ステップＳ７０６へ移行する。
【００６９】
ステップＳ７０６にて、前述のフローにて読み出した静止画撮影可能残枚数と音声記録停止枚数の大きさを比較する。その結果、静止画撮影可能残枚数が音声記録停止枚数よりも大きい場合、ステップＳ７０７へ移行する。一方、静止画撮影可能残枚数が音声記録停止枚数以下となる場合、ステップＳ７１１へ移行する。
【００７０】
ステップＳ７０７では、音声ＣＯＤＥＣ１２６、マイクロホン１２５の電源を投入し、録音動作を開始する。マイクロホン１２５にて取り込まれた音声振動は電気信号に変換され、音声ＣＯＤＥＣ１２６にて増幅、Ａ／Ｄ変換処理を施され、書き込み速度の速いＳＤＲＡＭ１１６に一時的に保存される。その後に、ＳＤＲＡＭ１１６から読み取ったデジタル音声データをデジタルカメラＡＳＳＰにて圧縮などの処理を行ってから、不揮発性メモリ１１５またはメモリーカード１３６に書き込まれる。
【００７１】
次に、ステップＳ７０８へ移行し、その時点で図８に示す静止画撮影可能残枚数を計算する処理内容を表わすフローチャートに基づいて、再度計算されて得られた静止画撮影可能残枚数情報をＳＤＲＡＭ１１６から読み出して、ステップＳ７０９へ移行する。
【００７２】
ステップＳ７０９では、ステップＳ７０８にて読み出した該静止画撮影可能残枚数をＬＣＤ１２３に即時に表示し、ステップＳ７１０に移行する。
これにより、音声を記録中に静止画の撮影可能残枚数を撮影者に通知することができ、撮影者があと何枚の静止画を撮影可能かを把握することができるため、記憶媒体の残容量不足によって音声記録後にデジタルカメラの主要機能である静止画撮影が十分に行えなくなることを防ぐことができる。
【００７３】
ステップＳ７１０に移行し、前述のフローにて読み出した静止画撮影可能残枚数と音声記録停止枚数の大きさを比較する。その結果、静止画撮影可能残枚数が音声記録停止枚数よりも大きい場合、ステップＳ７０８へ移行する。一方、静止画撮影可能残枚数が音声記録停止枚数以下となる場合、ステップＳ７１１へ移行する。
【００７４】
ここで、ステップＳ７０８〜ステップＳ７１０は音声記録動作中に行われるものであり、この処理を繰り返すことによって、音声記録動作中に刻々と枚数の変化する静止画撮影可能残枚数を即時に撮影者が確認することが可能となる。
【００７５】
ステップＳ７１１では撮影者に（静止画撮影可能残枚数）≦（音声記録停止枚数）であることを通知する。撮影者への通知方法についてはいくつかの方法が考えられ、ここでは３つの実施例についての説明を行う。
１つ目の実施例は、画像表示手段に警告を表示して撮影者に通知する方法である。デジタルカメラＡＳＳＰ１２９が、ステップＳ７１１の通知処理を行う状態であることを認識すると、フラッシュメモリ１１７にあらかじめ書き込まれた警告画像情報をデジタルカメラＡＳＳＰ１２９が読み取って、ビデオエンコーダ１３２にてＬＣＤ上に表示できるフォーマットに変換してＳＤＲＡＭ１１６に保存し、そこからＬＣＤドライバ１２２を用いてＬＣＤ上に画像を表示する。
【００７６】
２つ目の実施例は、音声情報を再生して撮影者に警告を促す方法である。デジタルカメラＡＳＳＰ１２９が、ステップＳ７１１の通知処理を行う状態であることを認識すると、フラッシュメモリ１１７にあらかじめ書き込まれた警告音声情報をデジタルカメラＡＳＳＰ１２９が読み取り、デコード処理などを行った後にＳＤＲＡＭ１１６を経由して音声ＣＯＤＥＣ１２６にてＤ／Ａ変換処理、増幅処理などを行い、スピーカ１２４から警告音を再生する。
【００７７】
３つ目の実施例は、発光手段を発光して撮影者に警告を促す方法である。デジタルカメラＡＳＳＰ１２９が、ステップＳ７１１の通知処理を行う状態であることを認識すると、図示しないＬＥＤ（Ｌｉｇｈｔ  Ｅｍｉｔｔｉｎｇ  Ｄｉｏｄｅ）が発光するようにデジタルカメラＡＳＳＰ１２９から電気信号を送信する。
【００７８】
次に、第２の実施の形態のバリエーションである、図９の（静止画撮影可能残枚数）≦（音声記録停止枚数）の時に音声記録を自動的に中断する処理内容を表わすフローチャートについて説明を行う。
図９においてステップｓ９０１からステップｓ９１０までは、図７のステップｓ７０１からステップｓ７１０までの処理内容と同じであり、図７のステップＳ７１１の部分が図９ではステップＳ９１１「音声記録停止」となり、ステップＳ７１１にて撮影者に警告を発する代わりに、音声記録を強制的に停止する処理が行われる。
これにより、静止画撮影可能残枚数があらかじめ設定された音声記録停止枚数以下となった場合、音声記録手段を自動的に停止することで、静止画撮影に必要な記録媒体の残容量を確保することができる。
【００７９】
【発明の効果】
上述したように、請求項１の発明によれば、記憶媒体の残容量不足によって動画データ記録後にデジタルカメラの主要機能である静止画撮影が十分に行えなくなることを防ぐことができる。
請求項２の発明によれば、記憶媒体の残容量不足によって音声記録後にデジタルカメラの主要機能である静止画撮影が十分に行えなくなることを防ぐことができる。
請求項３の発明によれば、撮影者があと何枚の静止画を撮影可能か常に把握できることができ、記録媒体の容量を最大限に活用することができる。
請求項４の発明によれば、撮影者が動画撮影または音声記録の直前の静止画画質設定であと何枚の静止画を撮影可能か把握することができる。
請求項５の発明によれば、撮影者の所望の静止画画質設定であと何枚の静止画を撮影可能か把握することができる。
請求項６〜８の発明によれば、撮影者が所望する静止画撮影可能枚数に必要な記録媒体の残容量を確保することができる。
【図面の簡単な説明】
【図１】本発明の実施形態に係る、デジタルカメラのブロック図である。
【図２】本発明の実施形態に係る、デジタルカメラの外観図（前面部）である。
【図３】本発明の実施形態に係る、デジタルカメラの外観図（背面部）である。
【図４】（静止画撮影可能残枚数）≦（動画記録停止枚数）時に撮影者に通知する処理内容を表わすフローチャートである。
【図５】第１の実施の形態における、静止画撮影可能残枚数を計算する処理内容を表わすフローチャートである。
【図６】（静止画撮影可能残枚数）≦（動画記録停止枚数）時に動画記録を自動的に中断する処理内容を表わすフローチャートである。
【図７】（静止画撮影可能残枚数）≦（音声記録停止枚数）時に撮影者に通知する処理内容を表わすフローチャートである。
【図８】第２の実施の形態における、静止画撮影可能残枚数を計算する処理内容を表わすフローチャートである。
【図９】（静止画撮影可能残枚数）≦（音声記録停止枚数）時に音声記録を自動的に中断する処理内容を表わすフローチャートである。
【符号の説明】
１０１    光学レンズ
１０２    シャッタ
１０３    光学ローパスフィルタ
１０４    ＣＣＤ
１０５    ＣＣＤ駆動ドライバ
１０６    タイミングジェネレータ
１０７    ＣＤＳ：Ａ／Ｄ
１０８    レンズモータ
１０９    シャッターモータ
１１０    モータードライバ
１１１    ＤＣジャック
１１２    電池
１１３    ＤＣ／ＤＣコンバータ
１１４    操作ボタン
１１５    不揮発性メモリ
１１６    ＳＤＲＡＭ
１１７    フラッシュメモリ
１１８    ＵＳＢドライバ
１１９    ＵＳＢコネクタ
１２０    ビデオアンプ
１２１    ＡＶ  Ｊａｃｋ
１２２    ＬＣＤドライバ
１２３    ＬＣＤ
１２４    スピーカ
１２５    マイクロホン
１２６    音声ＣＯＤＲＣ
１２７    ストロボ回路
１２８    ストロボ
１２９    デジタルカメラＡＳＳＰ
１３０    イメージプロセッサ
１３１    Ａ／Ｄ、Ｄ／Ａ変換器
１３２    ビデオエンコーダ
１３３    マイコン
１３４    各種インターフェイス
１３５    カードコネクタ
１３６    メモリーカード
２０１    ストロボ調光センサ
２０２    レリーズ
２０３    ファインダ
２０４    モードダイアル
２０５    鏡胴
３０１    バッテリ＆メモリーカード挿入口
３０２    操作ボタンＡ（上）
３０３    操作ボタンＢ（左）
３０４    操作ボタンＣ（右）
３０５    操作ボタンＤ（下）
３０６    操作ボタンＥ
３０７    操作ボタンＦ
３０８    操作ボタンＧ
【図１】
2004350129.tif 000003
【図２】
2004350129.tif 000004
【図３】
2004350129.tif 000005
【図４】
2004350129.tif 000006
【図５】
2004350129.tif 000007
【図６】
2004350129.tif 000008
【図７】
2004350129.tif 000009
【図８】
2004350129.tif 000010
【図９】
2004350129.tif 000011